(57)【要約】【課題】画像処理装置において設定を適切に選択する。【解決手段】画像処理装置は、第１の給紙口と、前記第１の給紙口に挿入された原稿を搬送する第１の搬送経路と、第２の給紙口と、前記第２の給紙口に挿入された原稿を搬送する第２の搬送経路と、前記第１の搬送経路で搬送される原稿の画像を取得する第１の取得部と、前記第２の搬送経路で搬送される原稿の画像を取得する第２の取得部と、原稿の画像が前記第２の取得部で取得され且つ設定を示すコード画像が前記取得された画像に含まれている場合、前記コード画像に示された第１の設定に従って前記第２の取得部で取得された画像を処理し、原稿の画像が前記第１の取得部で取得された場合、前記画像処理装置上で入力された第２の設定に従って前記第１の取得部で取得された画像を処理する処理部とを備えたことを特徴とする。【選択図】図９
2017228941.tif 000002
【特許請求の範囲】
【請求項１】
画像処理装置であって、
第１の給紙口と、
前記第１の給紙口に挿入された原稿を搬送する第１の搬送経路と、
第２の給紙口と、
前記第２の給紙口に挿入された原稿を搬送する第２の搬送経路と、
前記第１の搬送経路で搬送される原稿の画像を取得する第１の取得部と、
前記第２の搬送経路で搬送される原稿の画像を取得する第２の取得部と、
原稿の画像が前記第２の取得部で取得され且つ設定を示すコード画像が前記取得された画像に含まれている場合、前記コード画像に示された第１の設定に従って前記第２の取得部で取得された画像を処理し、原稿の画像が前記第１の取得部で取得された場合、前記画像処理装置上で入力された第２の設定に従って前記第１の取得部で取得された画像を処理する処理部と、
を備えた画像処理装置。
【請求項２】
前記第２の取得部で取得された画像に前記コード画像が含まれているか否か判定する判定部と、
前記第２の取得部で取得された画像に前記コード画像が含まれている場合、前記コード画像に示された前記第１の設定を特定する特定部と、
をさらに備え、
前記処理部は、前記第２の取得部で取得された画像に前記コード画像が含まれている場合、前記特定部で特定された前記第１の設定に従って、前記第２の取得部で取得された画像を処理する
請求項１に記載の画像処理装置。
【請求項３】
前記第２の取得部は、前記第２の搬送経路で搬送される原稿の表面の画像と裏面の画像とをそれぞれ取得し、
前記画像処理装置は、
前記第２の取得部で取得された原稿の表面の画像に応じた第１の部分画像データと裏面の画像に応じた第２の部分画像データとを比較し、比較結果に基づいて、前記第２の取得部で取得された画像に前記コード画像が含まれているか否か判定する判定部と、
前記第２の取得部で取得された画像に前記コード画像が含まれている場合、前記コード画像に示された前記第１の設定を特定する特定部と、
をさらに備え、
前記処理部は、前記第２の取得部で取得された画像に前記コード画像が含まれている場合、前記特定部で特定された前記第１の設定に従って、前記第２の取得部で取得された画像を処理する
請求項１に記載の画像処理装置。
【請求項４】
前記第１の部分画像データは、前記第２の取得部で取得された原稿の表面の画像に含まれた前記コード画像の少なくとも一部を含み、
前記第２の部分画像データは、前記第２の取得部で取得された原稿の裏面の画像に含まれた前記コード画像に対して左右方向に反転させた前記コード画像の少なくとも一部を含み、
前記判定部は、前記第１の部分画像データと前記第２の部分画像データとが一致した場合、前記第２の取得部で取得された画像に前記コード画像が含まれていると判定する
請求項３に記載の画像処理装置。
【請求項５】
前記判定部は、前記第１の部分画像データと前記第２の部分画像データとが一致しない場合、前記第２の取得部で取得された画像に前記コード画像が含まれていないと判定し、
前記処理部は、前記第２の取得部で取得された画像に前記コード画像が含まれていない場合、予め決められた第３の設定に従って前記第２の取得部で取得された画像を処理する
請求項４に記載の画像処理装置。
【請求項６】
第１の給紙口と前記第１の給紙口に挿入された原稿を搬送する第１の搬送経路と第２の給紙口と前記第２の給紙口に挿入された原稿を搬送する第２の搬送経路とを有する画像処理装置における画像処理方法であって、
前記第１の搬送経路で搬送される原稿の画像を取得する第１の取得ステップと、
前記第２の搬送経路で搬送される原稿の画像を取得する第２の取得ステップと、
原稿の画像が前記第２の取得ステップで取得され且つ設定を示すコード画像が前記取得された画像に含まれている場合、前記コード画像に示された第１の設定に従って前記第２の取得ステップで取得された画像を処理する第１の処理ステップと、
原稿の画像が前記第１の取得ステップで取得された場合、前記画像処理装置上で入力された第２の設定に従って前記第１の取得ステップで取得された画像を処理する第２の処理ステップと、
を備えた画像処理方法。
【請求項７】
第１の給紙口と前記第１の給紙口に挿入された原稿を搬送する第１の搬送経路と第２の給紙口と前記第２の給紙口に挿入された原稿を搬送する第２の搬送経路とを有する画像処理装置に、
前記第１の搬送経路で搬送される原稿の画像を取得する第１の取得ステップと、
前記第２の搬送経路で搬送される原稿の画像を取得する第２の取得ステップと、
原稿の画像が前記第２の取得ステップで取得され且つ設定を示すコード画像が前記取得された画像に含まれている場合、前記コード画像に示された第１の設定に従って前記第２の取得ステップで取得された画像を処理する第１の処理ステップと、
原稿の画像が前記第１の取得ステップで取得された場合、前記画像処理装置上で入力された第２の設定に従って前記第１の取得ステップで取得された画像を処理する第２の処理ステップと、
を実行させる画像処理プログラム。
【発明の詳細な説明】
【技術分野】
【０００１】
本発明は、画像処理装置、画像処理方法、及び画像処理プログラムに関する。
【背景技術】
【０００２】
近年、画像処理装置は、様々な機能が導入され、複雑な設定が行えるようになっている。
【０００３】
特許文献１では、画像処理装置において、原稿が所定の向きでセットされスキャンされた場合にデフォルトの印刷条件でスキャン画像が印刷され、原稿が所定の向きと逆向きでセットされスキャンされた場合にスキャン画像に存在する２次元コードに格納された印刷条件でスキャン画像が印刷されるので、簡単な操作で所望する印刷条件を設定できるものとされている。
【発明の概要】
【発明が解決しようとする課題】
【０００４】
特許文献１に記載の技術は、原稿をセットする向きを変えることにより、２次元コードに格納された印刷条件とデフォルトの印刷条件との間で印刷条件を選択する技術であると考えられる。しかし、原稿をセットする向きは間違えやすいため、特許文献１に記載の技術では、所望する印刷条件と異なる印刷条件を設定してしまうなど、誤った設定を選択してしまう可能性がある。
【０００５】
本発明は、画像処理装置において設定を適切に選択することを目的とする。
【課題を解決するための手段】
【０００６】
上述した課題を解決し、目的を達成するために、本発明にかかる画像処理装置は、第１の給紙口と、前記第１の給紙口に挿入された原稿を搬送する第１の搬送経路と、第２の給紙口と、前記第２の給紙口に挿入された原稿を搬送する第２の搬送経路と、前記第１の搬送経路で搬送される原稿の画像を取得する第１の取得部と、前記第２の搬送経路で搬送される原稿の画像を取得する第２の取得部と、原稿の画像が前記第２の取得部で取得され且つ設定を示すコード画像が前記取得された画像に含まれている場合、前記コード画像に示された第１の設定に従って前記第２の取得部で取得された画像を処理し、原稿の画像が前記第１の取得部で取得された場合、前記画像処理装置上で入力された第２の設定に従って前記第１の取得部で取得された画像を処理する処理部とを備えたことを特徴とする。
【発明の効果】
【０００７】
本発明によれば、画像処理装置において設定を適切に選択することができる。
【図面の簡単な説明】
【０００８】
【図１】実施形態にかかる画像処理装置の構成を示す斜視図及び平面図。
【図２】実施形態にかかる画像処理装置の構成を示す断面図。
【図３】実施形態における画像読取部の構成を示す断面図。
【図４】実施形態における第２の給紙口の構成を示す斜視図。
【図５】実施形態における反転搬送経路及びストレート搬送経路の構成を示す断面図。
【図６】実施形態にかかる画像処理装置のハードウェア構成を示すブロック図。
【図７】実施形態にかかる画像処理装置の機能構成を示すブロック図。
【図８】実施形態における原稿及び原稿の画像を示す図。
【図９】実施形態にかかる画像処理装置の動作を示すフローチャート。
【図１０】実施形態にかかる画像処理装置の動作を示すシーケンス図。
【図１１】実施形態にかかる画像処理装置の動作を示すシーケンス図。
【図１２】実施形態の変形例におけるＱＲコード（登録商標）の画像を示す図。
【図１３】実施形態の他の変形例におけるＱＲコード（登録商標）の画像を示す図。
【図１４】実施形態にかかる画像処理装置が適用された機器のハードウェア構成を示すブロック図。
【発明を実施するための形態】
【０００９】
以下に添付図面を参照して、実施形態にかかる画像処理装置を詳細に説明する。なお、この実施形態により本発明が限定されるものではない。
【００１０】
（実施形態）
実施形態にかかる画像処理装置１について説明する。画像処理装置１は、例えば、スキャナ機能を有する装置（複写機又は複合機など）である。画像処理装置１は、原稿３００が挿入されるべき複数の給紙口を有する。画像処理装置１は、複数の給紙口のそれぞれに挿入された原稿３００を読み取ることができるように構成されている。
【００１１】
例えば、画像処理装置１は、図１に示すように、第１の給紙口５９、第２の給紙口７２、搬送部（ＡＤＦ）５、画像読取部４、及び画像形成部３を有する。図１（ａ）は、画像処理装置１の外観構成を示す斜視図であり、図１（ｂ）は、画像処理装置１の外観構成を示す平面図である。
【００１２】
第１の給紙口５９は、ＡＤＦ５の上面付近に設けられ得る。第１の給紙口５９は、原稿トレイ５１と案内部材５４とカバー５５とに囲まれて形成され得る。原稿トレイ５１は、略板形状を有する。原稿トレイ５１は、その上面５１ａに原稿３００が載置されるべきテーブルである。案内部材５４は、原稿３００の両側方に対を成して配され、原稿３００の挿入方向に沿って延びた略棒状の部材である。案内部材５４は、原稿３００をその側方において位置決めすることができる。カバー５５は、ＡＤＦ５における各部品を収容するよう構成されている。
【００１３】
第２の給紙口７２は、画像読取部４の側面付近に設けられ得る。第２の給紙口７２は、手差し原稿トレイ７３が開いた状態（図４参照）において、手差し原稿トレイ７３と案内部材７１とカバー５５とに囲まれて形成され得る。図１（ａ）及び図１（ｂ）では、手差し原稿トレイ７３が閉じた状態が示されている。手差し原稿トレイ７３は、略板形状を有する。手差し原稿トレイ７３は、その上面７３ａに原稿３００が載置されるべきトレイである。案内部材７１は、原稿３００（例えば、カード、厚紙など）の両側方に対を成して配され、手差し原稿トレイ７３の上面７３ａから突出しているとともに原稿３００の挿入方向に沿って延びた略板状の部材である（図４参照）。案内部材７１は、原稿３００をその側方において位置決めすることができる。
【００１４】
搬送部（ＡＤＦ）５は、反転搬送経路５２（図５（ａ）参照）、ストレート搬送経路６０（図５（ｂ）参照）、及びカバー５５を有する。カバー５５は、反転搬送経路５２及びストレート搬送経路６０を収容している。
【００１５】
画像読取部４は、第１の給紙口５９及び第２の給紙口７２のそれぞれに挿入された原稿３００を読み取ることができる。例えば、第１の給紙口５９に挿入された原稿３００は、反転搬送経路（第１の搬送経路）５２により搬送される（図５（ａ）参照）。このとき、反転搬送経路５２に原稿３００が存在することが原稿セットセンサ５８（図２参照）で検知され、画像読取部４における光学走査ユニット４７，６９により原稿３００が読み取られ、原稿セットセンサ５８の検知信号と読み取られた原稿３００の画像とが本体制御部１１１（図６参照）へ供給される。本体制御部１１１内に機能的に実現された第１の取得部２０２ａ（図７参照）は、原稿セットセンサ５８の検知信号に応じて、原稿３００の画像を取得する。同様に、第２の給紙口７２に挿入された原稿３００は、ストレート搬送経路（第２の搬送経路）６０により搬送される（図５（ｂ）参照）。このとき、ストレート搬送経路６０に原稿３００が存在することが手差しセット検知センサ７４（図２参照）で検知され、画像読取部４における光学走査ユニット４７，６９により原稿３００が読み取られ、手差しセット検知センサ７４の検知信号と読み取られた原稿３００の画像とが本体制御部１１１（図６参照）へ供給される。本体制御部１１１内に機能的に実現された第２の取得部２０２ｂ（図７参照）は、手差しセット検知センサ７４の検知信号に応じて、原稿３００の画像を取得する。
【００１６】
画像形成部３は、給紙部３ａ、搬送部３ｂ、及び転写部３ｃを有する（図２参照）。給紙部３ａから搬送部３ｂ経由で転写紙が給紙された際に、転写部３ｃは、画像読取部４で読み取られた画像を転写紙上に形成する。転写部３ｃは、電子写真、感熱、熱転写、インクジェットなどの方式により画像を転写紙上に形成することができる。
【００１７】
次に、ＡＤＦ５及び画像読取部４の構成について図２を用いて説明する。図２は、画像処理装置１の構成を示す断面図である。
【００１８】
画像処理装置１は、その動作モードがフラットベッドスキャナモード（載置原稿読取りモード）とＤＦスキャナモード（搬送原稿読取りモード）との間で切替え可能に構成されている。
【００１９】
フラットベッドスキャナモードは、フラットベッドコンタクトガラス４１上に載置された原稿３００の画像を読み取るモードである。フラットベッドスキャナモードにおいて、画像読取部４は、フラットベッドコンタクトガラス４１上の原稿３００（例えば原稿シート、厚紙、本等）の画像面に光を照射して、その画像面からの反射光を画像信号に変換することにより原稿３００の画像を読み取ることができる。
【００２０】
ＤＦスキャナモードは、反転搬送経路５２又はストレート搬送経路６０での自動搬送中に画像読取部４が原稿３００の画像を読み取るモードである。ＤＦスキャナモードにおいて、ＡＤＦ５は、原稿トレイ５１上に積載された原稿３００の束からピックアップローラ５２ａにより原稿３００を１枚ずつ分離して反転搬送経路５２内に搬入する。ＡＤＦ５は、原稿３００を反転搬送経路５２（図５（ａ）参照）に沿って搬送させる。反転搬送経路５２で搬送される途中、原稿３００が、その搬送方向の上流側部分から順次部分的に画像読取部４の上面側のＤＦコンタクトガラス４２に対面するようになっている。すなわち、画像処理装置１は、ＡＤＦ５により搬送される原稿３００上の画像を画像読取部４のＤＦコンタクトガラス４２上で順次読み取ることにより、ＤＦスキャナの機能を発揮できるようになっている。
【００２１】
なお、ＡＤＦ５は、装置本体１Ｍの上面側の後部（背面側の部分）にヒンジ等の開閉機構を介して取り付けられている。そして、ＡＤＦ５は、装置本体１Ｍに対してフラットベッドコンタクトガラス４１上を開放する開位置と、フラットベッドコンタクトガラス４１上の原稿３００を押付け可能な閉位置とを採り得るようになっている。
【００２２】
次に、画像読取部４の構成について図３を用いて説明する。図３は、画像読取部４の構成を示す図である。
【００２３】
画像読取部４において、フラットベッドコンタクトガラス４１は、画像処理装置１がフラットベッドスキャナとして機能する場合であって読取対象の原稿３００が載置されるとき、その原稿３００の画像面に対面するようになっている。また、ＤＦコンタクトガラス４２は、画像処理装置１がＤＦスキャナとして機能する場合に、反転搬送経路５２の所定の読み取り位置を通過する原稿３００の画像面に対面するようになっている。さらに、ＤＦコンタクトガラス４２の表面４２ａは、フラットベッドコンタクトガラス４１の表面４１ａに対して予め設定された傾斜角θをなすよう傾斜している。
【００２４】
画像読取部４の内部には、読取ユニット４５とガイドロッド４６とが設けられている。ガイドロッド４６は、図３中の左右方向に延びている。読取ユニット４５は、ガイドロッド４６に沿って走行可能に構成されている。読取ユニット４５は、一体型光学走査ユニット４７とブラケット４８と複数の圧縮コイルばね４９とを含む。ブラケット４８は、一体型光学走査ユニット４７を保持する。各圧縮コイルばね４９は、一体型光学走査ユニット４７及びブラケット４８の間に圧縮状態で組み込まれている。
【００２５】
一体型光学走査ユニット４７は、例えばモールドフレームに、等倍結像素子ルーフミラーレンズアレイ、光路分離ミラー、等倍イメージセンサ、照明光源等を保持させた密着イメージセンサとして構成されている。この一体型光学走査ユニット４７は、画像を主走査方向に高解像でライン走査することができ、厚みの大きい原稿３００（例えば、厚紙、本等）の画像の読み取りにも対応可能な大きな焦点深度を有するように構成されている。
【００２６】
なお、一体型光学走査ユニット４７は、ＤＦスキャナとフラットベットスキャナに対応できる構成であれば、特定の方式に限定されるものではない。主走査方向は、フラットベッドコンタクトガラス４１の上面およびＤＦコンタクトガラス４２の上面の双方に対して平行な方向（図３の紙面に対して略垂直な方向）である。
【００２７】
ブラケット４８は、下側スライダ部４８ａと一対の保持腕部４８ｂとブラケット本体部４８ｄとを有している。下側スライダ部４８ａは、ガイドロッド４６に支持されている。一対の保持腕部４８ｂは、一体型光学走査ユニット４７を保持する。ブラケット本体部４８ｄは、下側スライダ部４８ａおよび一対の保持腕部４８ｂが一体に装着されている。
【００２８】
ここで、下側スライダ部４８ａは、ブラケット本体部４８ｄの長手方向中央の下部に固定された筒状体からなり、一対の保持腕部４８ｂは、ブラケット本体部４８ｄの両端側で図中上方側に突出する一対の板状体によって構成されている。これら一対の保持腕部４８ｂは、一体型光学走査ユニット４７の両端面から垂直に突出する両端突出部４７ａを長手方向軸線回りに姿勢変化可能におよび上下方向に変位可能に保持するよう、垂直方向の長穴（小判穴）４８ｃを有している。
【００２９】
複数の圧縮コイルばね４９は、一体型光学走査ユニット４７の下面部分を主走査方向の複数箇所で上方側（フラットベッドコンタクトガラス４１側、ＤＦコンタクトガラス４２側）に押し付けるようになっている。
【００３０】
また、一体型光学走査ユニット４７の上部には、フラットベッドコンタクトガラス４１およびＤＦコンタクトガラス４２のうち少なくとも一方の下面に当接しつつ副走査方向（図３中の左右方向）に円滑に滑り動く矩形環状の上部スライダ部４７ｂが装着されている。
【００３１】
なお、この上部スライダ部４７ｂは、一体型光学走査ユニット４７の長手方向または短手方向に延在するとともに、その延在方向と直交する方向で互いに離間する突起状のものであってもよい。
【００３２】
また、上部スライダ部４７ｂは、複数の半球状の突起等で構成されてもよい。いずれの場合も、上部スライダ部４７ｂは、フラットベッドコンタクトガラス４１およびＤＦコンタクトガラス４２の下面かそれに代わるガイド面に対し、低摩擦係数で摺動性・滑動性が良く、無潤滑にできる素材で形成されるのがよい。
【００３３】
一体型光学走査ユニット４７は、また、ブラケット４８の下方側に配置されたガイドロッド４６によって副走査方向に移動自在に案内されている。そして、その副走査方向の位置に応じて、一体型光学走査ユニット４７は、その上部でフラットベッドコンタクトガラス４１およびＤＦコンタクトガラス４２のうちいずれか片方または両方にスライド可能に当接する。これにより、読取ユニット４５は、ガイドロッド４６に沿って移動自在であるものの、ガイドロッド４６の軸回りの傾きを規制される。
【００３４】
この読取ユニット４５は、フラットベッドコンタクトガラス４１上の原稿３００の画像面を主走査方向（図３の紙面に対して略垂直な方向）にライン走査するとともに副走査方向（図３中の左右方向）に移動することで、原稿３００の画像を読み取ることができる。
【００３５】
また、読取ユニット４５は、ＤＦコンタクトガラス４２上を通過する原稿３００の画像を主走査方向にライン走査することで、原稿３００の画像を読み取ることができる。
【００３６】
なお、画像読取部４の内部には、無端のループ状でその周方向の一箇所に読取ユニット４５のブラケット４８が固定されたタイミングベルトが設けられている。
【００３７】
また、画像読取部４の内部には、タイミングベルトが弛みなく掛け渡された複数のタイミングプーリと、いずれか１つのタイミングプーリを回転駆動するモータ等が設けられている。
【００３８】
フラットベットスキャナモードの読取動作を行う場合、読取ユニット４５は、ホームポジションから副走査方向一方側に移動しながら、例えば停止位置付近のホームポジション（図２に実線で示す位置）から図中の右側に移動する。そして、その微小移動距離毎に一体型光学走査ユニット４７によるライン走査を実行して、フラットベッドコンタクトガラス４１上に載置される原稿３００の表面（下面）の画像を読み取る。また、その読取動作が終了すると、読取ユニット４５は、再度ホームポジションに戻る。
【００３９】
ＤＦスキャナモードの読取動作を行う場合、読取ユニット４５は、ホームポジション（図２に実線で示す位置）からＤＦコンタクトガラス４２の下方の位置（図２に破線で示す位置）に移動する。すなわち、読取ユニット４５は、ホームポジションから予め設定された距離だけ副走査方向他方側に移動してＤＦコンタクトガラス４２の下方の位置で停止し、ＤＦコンタクトガラス４２上を通過する原稿３００の表面の画像を読み取る。
【００４０】
読取ユニット４５は、このように、フラットベッドコンタクトガラス４１の下方側とＤＦコンタクトガラス４２の下方側とに位置し得るよう副走査方向に移動可能である。そして、一体型光学走査ユニット４７は、その副走査方向位置に応じて、フラットベッドコンタクトガラス４１を通して画像読み取り可能な水平の第１読取姿勢と、ＤＦコンタクトガラス４２を通して画像読み取り可能な傾斜した第２読取姿勢とに姿勢変化する。
【００４１】
ＡＤＦ５は、定型のシートを載置可能な原稿載置台としての原稿トレイ５１と、原稿３００を画像読取り可能に搬送する反転搬送経路５２と、画像読み取り後の原稿３００をスタックする排紙トレイ５３とを備えている。原稿トレイ５１と排紙トレイ５３とは、小型化を目的として、少なくともそれらの一部が離間する状態で上下に重ねて配置されている。
【００４２】
画像処理装置１では、例えば原稿３００のスキャンを行い原稿３００の画像を取得する読み取り処理について、複数の設定から所望の設定を選択することが要求され得る。このとき、画像処理装置１では、設定を適切に選択することが望まれる。例えば、読み取り処理の設定を示すＱＲコード（登録商標）が原稿３００に配されている場合、ユーザが、ＱＲコード（登録商標）に示された設定で画像読み取り処理を常に望むとは限らない。
【００４３】
そこで、本実施形態では、画像処理装置１は、原稿３００がどの給紙口に挿入されたかに応じて、複数の設定から所望の設定が選択され得るように構成される。画像処理装置１は、第１の給紙口５９に挿入された原稿３００に対しては、操作パネルで受け付けられた設定（第２の設定）で画像の読み取り処理を行い、第２の給紙口７２に挿入された原稿３００に対しては、ＱＲコード（登録商標）に示された設定（第１の設定）で画像の読み取り処理を行うように、構成される。これにより、操作パネルで受け付けられた設定での読み取り処理を望む場合に原稿３００を第１の給紙口５９に挿入し、ＱＲコード（登録商標）に示された設定での読み取り処理を望む場合に原稿３００を第２の給紙口７２に挿入することで、画像処理装置１において設定を適切に選択することができる。
【００４４】
ＱＲコード（登録商標）に示された設定での画像の読み取り処理を望む場合に使用される第２の給紙口７２は、例えば図４に示すように構成されている。図４は、第２の給紙口７２の構成を示す斜視図である。
【００４５】
ＡＤＦ５は、カードや厚紙など、反転搬送では搬送できない原稿３００を読み取るためのストレート搬送経路６０を有している。ストレート搬送経路６０（図５（ｂ）参照）は、反転搬送経路５２の一部であるローラ対５２ｅ，５２ｃ以降の下流側を含む搬送経路であり、第２の給紙口７２から排紙口５６までの搬送経路を指す。ここにいうカードとは、ＩＤカード（身分証明書カード）、交通系カード等である。カードのサイズは、例えば、身分証明書カードの形状を定めた国際規格であるＩＳＯ／ＩＥＣ  ７８１０のＩＤ−１、ＩＤ−２またはＩＤ−３のいずれか、またはそれと同程度のサイズである。
【００４６】
ストレート搬送経路６０を使用する場合は、第２の給紙口７２から原稿３００を手差しで１枚ずつ差し込み挿入する。第２の給紙口７２は、開閉式の手差し原稿トレイ７３を開放することで給紙可能となる。手差し原稿トレイ７３は、常時は閉じていてカバー５５の側面の一部を構成し、第２の給紙口７２を開放するように回動可能となっている。第２の給紙口７２の入口部付近には、手差しセット検知センサ７４があり、第２の給紙口７２から原稿３００が差し込まれたのを検知する。手差しセット検知センサ７４で原稿３００の差込を検知すると、所定時間経過後にローラ対５２ｅ，５２ｃが回転し、原稿３００の先端をローラ対５２ｅ，５２ｃの下流にあるレジストセンサ５７が検知したところでローラ対５２ｅ，５２ｃの回転を停止し、その状態で原稿３００を挟持し保持する。ローラ対５２ｅ，５２ｃは原稿３００を保持し待機した後、読み取り動作指令がなされると、次の原稿３００をストレート搬送経路６０に搬送する。
【００４７】
反転搬送経路５２は、操作パネルで受け付けられた設定での画像の読み取り処理を望む場合に第１の給紙口５９に挿入された原稿３００を搬送する経路であり、図５（ａ）に示す構成を有する。図５（ａ）は、反転搬送経路５２を示す断面図である。ストレート搬送経路６０は、ＱＲコード（登録商標）に示された設定での画像の読み取り処理を望む場合に第２の給紙口７２に挿入された原稿３００を搬送する経路であり、図５（ｂ）に示す構成を有する。図５（ｂ）は、ストレート搬送経路６０を示す断面図である。
【００４８】
図５（ａ）に示すように、反転搬送経路５２は、第１の給紙口５９から排紙口５６までの搬送経路を指す。反転搬送経路５２のうちローラ対５２ｅ，５２ｃ以降の下流側部分は、ストレート搬送経路６０（図５（ｂ）参照）と共通化されている。第１の給紙口５９の入口部付近には、原稿セットセンサ５８があり、第１の給紙口５９から原稿３００が差し込まれたことを検知する。原稿３００の画像を読み取るために原稿トレイ５１に原稿３００がセットされた場合、装置本体１Ｍ（図２参照）の正面等に設けられた操作パネルのスタートボタンが押下されることで、最上位の原稿３００から順に反転搬送経路５２へと繰り出される。
【００４９】
例えば、原稿トレイ５１に載置された原稿３００のうち最上位の原稿３００は、第１の給紙口５９からピックアップローラ５２ａでピックアップされローラ対５２ｂ，５２ｅ及びローラ対５２ｅ，５２ｃによるＵターン搬送経路で折り返されるようにＵターン搬送される。この後、原稿３００は、ＤＦコンタクトガラス４２の上面を通過する際に、読取ローラ５２ｆの加圧でＤＦコンタクトガラス４２に密着されつつイメージセンサとしての光学走査ユニット４７により一面（例えば、表面）の画像が読み取られる。さらに、原稿３００が光学走査ユニット６９を通過する際に、読取ローラ７０の加圧で光学走査ユニット６９に密着されつつ光学走査ユニット６９により他面の画像が読み取られる。そして、他面（例えば、裏面）の画像を読み取った後の原稿３００は、排紙ローラ対５２ｄ，５２ｇにより排紙口５６から排紙トレイ５３（図２参照）に向けて排出される。
【００５０】
図５（ｂ）に示すように、ストレート搬送経路６０は、第２の給紙口７２から排紙口５６までの搬送経路を指す。第２の給紙口７２の入口部付近には、手差しセット検知センサ７４があり、第２の給紙口７２から原稿３００が挿入されたことを検知する。ストレート搬送経路６０は、原稿トレイ５１で設定されている最小サイズの原稿３００（例えば、葉書サイズ）よりも小さい原稿、特に、銀行等のキャッシュカードや各種クレジットカード等のような厚手の樹脂カード類の搬送（受け渡し）が可能となっている。
【００５１】
すなわち、ストレート搬送経路６０は、その全般が同一平面上にあるとともに、カードピックアップローラ７５ａ，７５ｂ、ローラ対５２ｅ，５２ｃ、読取ローラ５２ｆ、排紙ローラ対５２ｄ，５２ｇのそれぞれの隣接間隔が厚みのある原稿３００（例えば、カード）Ｓの縦サイズ（又は横サイズ）以下で配置されている（図４参照）。これにより、原稿３００（例えば、カード）を読み取る場合には、まず、手差し原稿トレイ７３が開かれて第２の給紙口７２が開放される。この状態で、手差し原稿トレイ７３にカード等の原稿３００がセットされ、操作パネルのスタートボタンが押下されることで、最上位の原稿３００（例えば、カード）から順にストレート搬送経路６０へと繰り出される。
【００５２】
例えば、原稿３００は、第２の給紙口７２からピックアップローラ７５ａ，７５ｂでピックアップされローラ対５２ｅ，５２ｃにより搬送される。この後、原稿３００は、ＤＦコンタクトガラス４２の上面を通過する際に、読取ローラ５２ｆの加圧でＤＦコンタクトガラス４２に密着されつつ光学走査ユニット４７により一面（例えば、表面）の画像が読み取られる。さらに、原稿３００（例えば、カード）が光学走査ユニット６９を通過する際に、読取ローラ７０の加圧で光学走査ユニット６９に密着されつつ光学走査ユニット６９により他面の画像が読み取られる。そして、他面（例えば、裏面）の画像を読み取った後の原稿３００（例えば、カード）は、排紙ローラ対５２ｄ，５２ｇにより排紙口５６から排紙トレイ５３（図２参照）に向けて排出される。
【００５３】
図５（ａ）及び図５（ｂ）に示すように、画像処理装置１では、第１の給紙口５９から排紙口５６までの反転搬送経路５２と第２の給紙口７２から排紙口５６までのストレート搬送経路６０とにおいてローラ対５２ｅ，５２ｃ以降の下流側部分が共通化されている。これにより、ＡＤＦ５の小型化や読み取り時間の短縮化に貢献しつつ、小サイズで厚手の樹脂カード類等の原稿３００の読み取りを可能とし、原稿３００の読み取りの多様化に対応することができる。
【００５４】
次に、画像処理装置１のハードウェア構成について図６を用いて説明する。図６は、画像処理装置１のハードウェア構成を示すブロック図である。
【００５５】
画像処理装置１は、レジストセンサ５７、原稿セットセンサ５８、手差しセット検知センサ７４、排紙センサ８９、突当センサ８５、原稿幅センサ８６、読取入口センサ８７、テーブル上昇センサ８４、ホームポジションセンサ８３、読取ユニット４５、ピックアップモータ１０１、給紙モータ１０２、読取モータ１０３、排紙モータ１０４、底板上昇モータ１０５、排紙搬送モータ９１、赤色ＬＥＤ７５、青色ＬＥＤ７６、ソレノイド７８、コントローラ部１００、本体制御部１１１、及び操作部１５０を有する。
【００５６】
本体制御部１１１及び操作部１５０は、装置本体１Ｍ内に設けられている。本体制御部１１１は、装置本体１Ｍの各部に対する制御を行う。操作部１５０は、本体制御部１１１に付帯し、操作パネル１５０ａを含む。操作部１５０は、操作パネル１５０ａを介して、ユーザからの各種指令を受け付けて本体制御部１１１へ供給する。
【００５７】
コントローラ部１００は、例えばＡＤＦ５及び画像読取部４の付近に配され、自動原稿搬送に関する各種の制御を行う。
【００５８】
例えば、コントローラ部１００は、レジストセンサ５７、原稿セットセンサ５８、手差しセット検知センサ７４、ホームポジションセンサ８３、テーブル上昇センサ８４、突当センサ８５、原稿幅センサ８６、読取入口センサ８７、排紙センサ８９等の各種センサの検知信号を取り込み可能である。コントローラ部１００は、取り込まれた各種センサの検知信号に応じて、ピックアップモータ１０１、給紙モータ１０２、読取モータ１０３、排紙モータ１０４、底板上昇モータ１０５、排紙搬送モータ９１、赤色ＬＥＤ７５、青色ＬＥＤ７６、ソレノイド７８等の各種アクチュエータの駆動を制御する。
【００５９】
例えば、ピックアップモータ１０１は、コントローラ部１００による制御に従い、ピックアップローラ７５ａ，７５ｂ（図２参照）を駆動する。給紙モータ１０２は、コントローラ部１００による制御に従い、ローラ対５２ｂ，５２ｅを駆動する。読取モータ１０３は、コントローラ部１００による制御に従い、排紙ローラ対５２ｅ，５２ｄを駆動する。排紙モータ１０４は、コントローラ部１００による制御に従い、排紙ローラ対５２ｄ，５２ｇを駆動する。
【００６０】
コントローラ部１００と本体制御部１１１とは、インターフェース１０７を介して接続されている。本体制御部１１１は、操作部１５０における操作パネル１５０ａのキー（例えば、スタートボタン）が押下されると、インターフェース１０７を介してコントローラ部１００に原稿給紙指令や読取開始指令を送信するようになっている。
【００６１】
次に、画像処理装置１の機能構成について図７を用いて説明する。図７は、画像処理装置１の機能構成を示すブロック図である。
【００６２】
画像処理装置１は、センサ受信部２０１、エンジン制御部２０２、操作パネル制御部２０３、システム制御部２０４、読み取りデータ蓄積部２０５、設定解析部２０７、ＱＲコード解析部２０６、及びデフォルト設定記録部２０８を有する。これらの機能構成は、例えば、本体制御部１１１（図６参照）内において実現され得る。例えば、センサ受信部２０１、エンジン制御部２０２、操作パネル制御部２０３、システム制御部２０４、設定解析部２０７、及びＱＲコード解析部２０６は、本体制御部１１１内において、その全部がソフトウェア的に実現されてもよいし、その全部がハードウェア的に（回路的に）実現されてもよいし、一部がソフトウェア的に実現され残りの一部がハードウェア的に（回路的に）実現されてもよい。読み取りデータ蓄積部２０５は、本体制御部１１１内において、揮発性半導体メモリにより実現されてもよいし、不揮発性半導体メモリにより実現されてもよい。デフォルト設定記録部２０８は、本体制御部１１１内において、不揮発性半導体メモリにより実現されてもよいし、不揮発性記憶装置（ＨＤＤなど）により実現されてもよい。
【００６３】
センサ受信部２０１は、各種センサ（例えば、図２に示す原稿セットセンサ５８や手差しセット検知センサ７４）などのセンサが検知対象（例えば、原稿３００）を検知した場合に、そのことをシステム制御部２０４に通知する。
【００６４】
操作パネル制御部２０３は、操作パネル１５０ａを介して入力された指令をシステム制御部２０４に通知する。
【００６５】
システム制御部２０４は、センサ受信部２０１から通知された検知結果と操作パネル制御部２０３から通知された指令とに基づいて、画像処理装置１の各部を統括的に制御する。システム制御部２０４は、操作パネル制御部２０３から通知された指令に基づき、エンジン制御部２０２に指示を行う。システム制御部２０４は、処理部２０４ａを有する。
【００６６】
エンジン制御部２０２は、システム制御部２０４から受け取った指示に従って、エンジン（本体制御部１１１に含まれた画像処理用ハードウェア）を制御し、原稿３００の画像を読み取る。読み取られた画像は、エンジン制御部２０２で保持され、必要に応じてエンジン制御部２０２により読み取りデータ蓄積部２０５に保存される。
【００６７】
エンジン制御部２０２は、第１の取得部２０２ａ及び第２の取得部２０２ｂを有する。第１の取得部２０２ａは、反転搬送経路（第１の搬送経路）５２で搬送される原稿３００の画像を取得する。第２の取得部２０２ｂは、ストレート搬送経路（第２の搬送経路）６０で搬送される原稿３００の画像を取得する。
【００６８】
例えば、光学走査ユニット４７，６９により読み取られた原稿３００の画像はエンジン制御部２０２で保持される。センサ受信部２０１及びシステム制御部２０４を介して原稿セットセンサ５８の検知信号をエンジン制御部２０２が受けた場合、第１の取得部２０２ａは、原稿セットセンサ５８の検知信号に応じて、エンジン制御部２０２で保持された原稿３００の画像を取得する。あるいは、例えば、センサ受信部２０１及びシステム制御部２０４を介して手差しセット検知センサ７４の検知信号をエンジン制御部２０２が受けた場合、第２の取得部２０２ａは、手差しセット検知センサ７４の検知信号に応じて、エンジン制御部２０２で保持された原稿３００の画像を取得する。
【００６９】
読み取りデータ蓄積部２０５は、エンジン制御部２０２により読み取られた原稿３００の画像を蓄積する。画像の保存は、エンジン制御部２０２が行い、画像の読み取りは、エンジン制御部２０２とＱＲコード解析部２０６とが行う。
【００７０】
ＱＲコード解析部２０６は、読み取りデータ蓄積部２０５に蓄積されている画像データからＱＲコード（登録商標）の画像（コード画像）を読み取る。例えば、ＱＲコード解析部２０６は、判定部２０６ａを有する。判定部２０６ａは、第２の取得部２０２ｂで取得された画像のデータを読み取りデータ蓄積部２０５から取得し、第２の取得部２０２ｂで取得された画像にＱＲコード（登録商標）の画像（コード画像）が含まれているか否か判定する。ＱＲコード解析部２０６は、第２の取得部２０２ｂで取得された画像にＱＲコード（登録商標）の画像（コード画像）が含まれている場合、ＱＲコード（登録商標）をデコードし、ＱＲコード（登録商標）に記述されている情報を復元する。ＱＲコード解析部２０６は、ＱＲコード（登録商標）に記述されている情報（コード画像に含まれた情報）を設定解析部２０７に通知する。
【００７１】
設定解析部２０７は、ＱＲコード（登録商標）に記述されている情報がＱＲコード解析部２０６から通知されることで、ＱＲコード（登録商標）が検出できたことを認識できる。例えば、設定解析部２０７は、特定部２０７ａを有する。特定部２０７ａは、ＱＲコード（登録商標）に記述されている情報に基づいて、コード画像に示された設定を特定する。例えば、特定部２０７ａは、ＱＲコード（登録商標）に記述されている情報に画像の読み取り処理の設定内容が含まれていることを認識できれば、その認識された設定内容を特定された設定とすることができる。あるいは、例えば、特定部２０７ａは、設定内容の識別情報と設定内容との対応を複数種の設定について示すテーブルを予め有しており、ＱＲコード（登録商標）に記述されている情報に設定内容の識別情報が含まれていることを認識できれば、その認識された識別情報に対応した設定内容をテーブルから特定できる。設定解析部２０７は、ＱＲコード（登録商標）に示された設定をシステム制御部２０４に通知する。設定解析部２０７は、ＱＲコード（登録商標）が検出できなかった場合（例えば、ＱＲコード（登録商標）がデコードエラーとなる場合）や、ＱＲコード（登録商標）の内容が設定情報でなかった場合、デフォルト設定記録部２０８からデフォルト設定を取得して、デフォルト設定を通知する。
【００７２】
デフォルト設定記録部２０８には、予め、読み取り処理についてのデフォルト設定が記憶されている。
【００７３】
例えば、読み取るべき原稿３００が図８（ａ）に示す紙３０１と図８（ｂ）に示すクリアファイル３０２とを含む場合、紙３０１がクリアファイル３０２に挟まれた状態で原稿３００が構成され得る。図８（ａ）は、紙３０１の構成を示す図である。図８（ｂ）は、クリアファイル３０２の構成を示す図である。クリアファイル３０２には、紙３０１が挟まれた状態で紙３０１の外側となるべき位置にＱＲコード（登録商標）３０２ａ，３０２ｂが配されている。例えば、クリアファイル３０２の表面には、図８（ｃ）に示すＱＲコード（表面ＱＲコード）３０２ａが紙３０１の外側となるべき位置に配されている。クリアファイル３０２の裏面には、図８（ｄ）に示すＱＲコード（裏面ＱＲコード）３０２ｂが紙３０１の外側となるべき位置で且つＱＲコード（登録商標）３０２ａに対応した位置に配されている。ＱＲコード（登録商標）３０２ａ，３０２ｂは、クリアファイル３０２に印刷されていてもよいし、シール等の形態で貼り付けられていてもよい。
【００７４】
図８（ｃ）、図８（ｄ）に示すように、ＱＲコード（登録商標）３０２ａ，３０２ｂの配されているクリアファイル３０２に紙３０１を挟んで原稿３００を構成することができる。この原稿３００を第２の給紙口７２（図５（ｂ）参照）に挿入することで、画像処理装置１は、クリアファイル３０２の上から原稿３００を読み取り（スキャンし）、クリアファイル３０２に配さているＱＲコード（登録商標）３０２ａ，３０２ｂを読み取る。システム制御部２０４の処理部２０４ａは、ＱＲコード（登録商標）３０２ａ，３０２ｂに格納されている設定（第１の設定）の内容に従って、スキャンされた画像の処理（読み取り処理）を実行する。ＱＲコード（登録商標）３０２ａ，３０２ｂには、例えば、次の表１に示すようなテーブル形式による設定が格納され得る。
【表１】
2017228941.tif 000003
【００７５】
この設定で画像処理装置１による読み取りが実行されると、処理部２０４ａにより、ユーザＡのｓｈａｒｅフォルダには、図８（ｅ）に示すような画像ファイルが保存される。図８（ｅ）は、ＱＲコード（登録商標）３０２ａ，３０２ｂに記述された設定で読み取り処理が行われた画像のデータを示す図である。また、読み取った原稿３００にＱＲコード（登録商標）を検出できない場合、システム制御部２０４の処理部２０４ａは、事前に設定してあるデフォルト設定（第３の設定）に応じた読み取り処理を実行する。デフォルト設定は、例えば、次の表２に示すようなテーブル形式による設定とすることができる。
【表２】
2017228941.tif 000004
【００７６】
この設定で処理部２０４ａによる読み取り処理が実行されると、Ａ４の集約両面モノクロコピーの処理が行われる。
【００７７】
なお、図８に示す例では、ＱＲコード（登録商標）３０２ａ，３０２ｂの印刷されているクリアファイル３０２に紙３０１が挟まれた原稿３００が第２の給紙口７２に挿入される場合を例示しているが、ＱＲコード（登録商標）が印刷されている紙３０１を含む原稿３００を第２の給紙口７２に挿入してもよい。その場合、処理部２０４ａは、紙３０１に印刷されているＱＲコード（登録商標）に含まれる設定に従って読み取り処理を行うことができる。
【００７８】
また、第１の給紙口５９に原稿３００が挿入された場合、処理部２０４ａは、原稿３００の読み取りをすぐに開始するのではなく、操作パネル１５０ａ（図６参照）から読み取り開始ボタンの押下を示す信号を受けるまで読み取りの実行は行わないようにしてもよい。また、第１の給紙口５９から原稿３００が挿入されることで原稿３００が読み取られた場合は、処理部２０４ａは、操作パネル１５０ａ（図６参照）で設定された設定（第２の設定）に従って実行を行い、原稿３００にＱＲコード（登録商標）が印刷されていようとも、そのＱＲコード（登録商標）の内容を設定として実行したりはしないようにしてもよい。
【００７９】
次に、画像処理装置１の動作について図９を用いて説明する。図９は、画像処理装置１の動作を示すフローチャートである。
【００８０】
画像処理装置１は、第２の給紙口７２に原稿３００が挿入されたことを検知すると（Ｓ１でＹｅｓ）、その原稿３００の読み取りを開始する（Ｓ２）。すなわち、画像処理装置１は、ストレート搬送経路６０で搬送される原稿３００の画像を取得する（第２の取得ステップ）。画像処理装置１は、その取得された原稿３００の画像を読み取りデータ蓄積部２０５（図７参照）で保存し、保存された画像からＱＲコード（登録商標）の検出を試み（Ｓ３）、ＱＲコード（登録商標）が検出できたか否かを判断する（Ｓ４）。
【００８１】
例えば、画像処理装置１は、ＱＲコード（登録商標）のテンプレート画像を有しており、テンプレート画像を用いたテンプレートマッチングを行うことで原稿３００の表面（図８（ｃ）参照）の全体画像からＱＲコード（表面ＱＲコード）３０２ａの画像を部分画像（第１の部分画像データ）として切り出すことができる。また、画像処理装置１は、ＱＲコード（登録商標）のテンプレート画像を有しており、テンプレート画像を用いたテンプレートマッチングを行うことで原稿３００の裏面（図８（ｄ）参照）の全体画像からＱＲコード（裏面ＱＲコード）３０２ｂの画像を部分画像（第２の部分画像データ）として切り出すことができる。画像処理装置１は、表面ＱＲコード３０２ａ及び裏面ＱＲコード３０２ｂの少なくとも一方が部分画像として切り出せた場合に、ＱＲコード（登録商標）が検出できたと判断することができ、表面ＱＲコード３０２ａ及び裏面ＱＲコード３０２ｂのいずれも切り出せなかった場合に、ＱＲコード（登録商標）が検出できなかったと判断することができる。
【００８２】
画像処理装置１は、原稿３００の画像からＱＲコード（登録商標）が検出でき（Ｓ４でＹｅｓ）、そのＱＲコード（登録商標）からデコードされた内容が設定情報であった場合（Ｓ５でＹｅｓ）、そのＱＲコード（登録商標）に含まれている設定からジョブを構築する（Ｓ６）。このとき、例えば、画像処理装置１は、表面ＱＲコード３０２ａ及び裏面ＱＲコード３０２ｂが両方とも部分画像として切り出せた場合、表面ＱＲコード３０２ａ及び裏面ＱＲコード３０２ｂのうち一方のＱＲコード（登録商標）を任意に選択してＱＲコード（登録商標）に含まれている設定を特定してもよい。あるいは、例えば、画像処理装置１は、表面ＱＲコード３０２ａ及び裏面ＱＲコード３０２ｂに予め優先順位をつけておき、その優先順位に従って選択されたＱＲコード（登録商標）に含まれている設定を特定してもよい。そして、画像処理装置１は、その特定された設定で画像の読み取り処理を行う（Ｓ８）。すなわち、画像処理装置１は、Ｓ２（第２の取得ステップ）で取得された画像をＱＲコード（登録商標）に含まれている設定に従って処理する（第１の処理ステップ）。
【００８３】
画像処理装置１は、原稿３００の画像からＱＲコード（登録商標）を検知できなかった場合（Ｓ４でＮｏ）や、ＱＲコード（登録商標）に含まれている情報が設定情報でない場合（Ｓ５でＮｏ）は、デフォルト設定からジョブを構築する（Ｓ７）。ジョブの実行で原稿３００の読み取りが必要な場合は、既に読み取って保存している原稿３００の画像を読み取った画像として扱い、ジョブを実行することができる。例えば、画像処理装置１は、デフォルト設定記録部２０８（図７参照）から取得されたデフォルト設定で画像の読み取り処理を行う（Ｓ８）。
【００８４】
画像処理装置１は、第２の給紙口７２に原稿３００が挿入されたことを検知しておらず（Ｓ１でＮｏ）、第１の給紙口５９に原稿３００が挿入されたことを検知していない場合（Ｓ９でＮｏ）、処理をＳ１に戻す。
【００８５】
画像処理装置１は、第２の給紙口７２に原稿３００が挿入されたことを検知しておらず（Ｓ１でＮｏ）、第１の給紙口５９に原稿３００が挿入されたことを検知した場合（Ｓ９でＹｅｓ）、その時点では何もせず、操作パネルからの入力があるまで（Ｓ１０でＮｏ）待機する。画像処理装置１は、操作パネルから入力があった場合（Ｓ１０でＹｅｓ）、操作パネルから入力された設定に従ってジョブを構築する（Ｓ１１）。ジョブの実行で原稿３００の読み取りが必要な場合は、第１の給紙口５９から原稿３００を読み取り、ジョブを実行する（Ｓ１２）。すなわち、画像処理装置１は、反転搬送経路５２で搬送される原稿３００の画像を取得し（第１の取得ステップ）、取得された画像をＳ１０で入力された設定に従って処理する（第２の処理ステップ）。
【００８６】
次に、第２の給紙口７２から原稿３００が挿入され、読み取り処理が実行された場合のシーケンスについて図１０を用いて説明する。図１０は、画像処理装置１の動作を示すシーケンス図である。
【００８７】
センサ受信部２０１は、センサが第２の給紙口７２に原稿３００が挿入されたことを検知した場合、第２の給紙口７２に原稿３００が挿入された旨をシステム制御部２０４へ通知する（Ｓ２１）。
【００８８】
原稿３００の挿入通知を受けたシステム制御部２０４は、その挿入された原稿３００の読み取りの開始させる読み取り開始指示をエンジン制御部２０２へ供給する（Ｓ２２）。
【００８９】
読み取り開始指示を受けて、エンジン制御部２０２は、読み取りの実行を行い、読み取った原稿３００のデータを読み取りデータ蓄積部２０５に蓄積する（Ｓ２３）。データの蓄積が完了すると、エンジン制御部２０２は、システム制御部２０４へ読み取り完了通知を供給する（Ｓ２４）。
【００９０】
読み取り完了通知を受けたシステム制御部２０４は、設定解析部２０７へ、ＱＲコード（登録商標）に含まれた設定を解析させる設定解析指示を供給する（Ｓ２５）。
【００９１】
設定解析指示を受けた設定解析部２０７は、原稿３００から読み取られたＱＲコード（登録商標）の内容を知るために、ＱＲコード（登録商標）を解析させるＱＲコード解析指示をＱＲコード解析部２０６へ供給する（Ｓ２６）。
【００９２】
ＱＲコード解析指示を受けたＱＲコード解析部２０６は、読み取りデータ蓄積部２０５から、読み取った原稿３００に対する読み取り処理（画像処理）を行い（Ｓ２７）、読み取った画像からＱＲコード（登録商標）を検出する（Ｓ２８）。ＱＲコード解析部２０６は、検出されたＱＲコード（登録商標）を解析し、ＱＲコード（登録商標）に格納されている情報をＱＲコード解析情報として設定解析部２０７へ送る。
【００９３】
ＱＲコード解析情報を受け取った設定解析部２０７は、ＱＲコード（登録商標）の解析情報から設定を取得するために、ＱＲコード（登録商標）の解析情報から設定への変換を試みる（Ｓ２９）。このときに、ＱＲコード（登録商標）に記述されていた内容が設定を表したテーブル（例えば、表１に示すようなテーブル）でなかった場合や、画像からＱＲコード（登録商標）が検出できなかった場合など、ＱＲコード（登録商標）から設定が取得できなかった場合は、デフォルト設定記録部２０８にアクセスして（Ｓ３０）、デフォルト設定を取得する（Ｓ３１）。すなわち、デフォルト設定記録部２０８から事前に登録してあるデフォルト設定を取得する。その後、設定解析部２０７は、ＱＲコード（登録商標）から設定が取得できた場合はその設定を、そうでなかった場合はデフォルト設定を、システム制御部２０４に設定情報として通知する（Ｓ３２）。
【００９４】
システム制御部２０４は、受け取った設定情報に基づき、ジョブの構築（Ｓ３３）・ジョブの実行（Ｓ３４）を行う。このとき、システム制御部２０４は、ジョブの内容に原稿３００の読み取りが含まれる場合、画像読み取りとして、読み取りデータ蓄積部２０５から読み取りを行い、エンジン制御部２０２に読み取りを指示することはない。例えば、システム制御部２０４は、表２の設定からジョブを構築する場合、「＜１＞読み取りデータ蓄積部２０５に保存している表面・裏面の原稿３００の画像をモノクロの出力形式画像に変換しＲＡＭに配置する＜２＞ＲＡＭに配置した表面・裏面の各画像を９０度回転し、半分のサイズまで縮小し、集約画像を作成する＜３＞作成した集約画像をプロッタ出力する」といったジョブを構築する（Ｓ３５）。
【００９５】
次に、第１の給紙口５９から原稿３００が挿入され、読み取り処理が実行された場合のシーケンスについて図１１を用いて説明する。図１１は、画像処理装置１の動作を示すシーケンス図である。
【００９６】
センサ受信部２０１は、原稿セットセンサ５８が第１の給紙口５９に原稿３００が挿入されたことを検知した場合、システム制御部２０４へ原稿挿入通知を供給する（Ｓ４１）。システム制御部２０４は、第１の給紙口５９に原稿３００が挿入された通知を受けても、読み取り開始指示は出さずに、操作パネル制御部２０３から入力通知があるまで待つ。
【００９７】
例えば、ユーザは、Ａ４サイズの原稿３００を原稿トレイ５１にある原稿３００にモノクロでコピーすることを選択し、コピーボタンを押下することで、操作パネルから読み取り設定指示及び原稿読取開始指示を入力する。操作パネル制御部２０３から入力通知（例えば、読み取り設定指示及び原稿読取開始指示の通知）があった場合（Ｓ４２）、その入力（例えば、読み取り設定指示）から設定情報を抽出するために、システム制御部２０４は設定解析部２０７へ、読み取り設定指示に応じた設定解析指示を出す（Ｓ４３）。
【００９８】
設定解析指示を受信した設定解析部２０７は、入力された内容から設定情報を抽出し、システム制御部２０４へ設定情報を通知する（Ｓ４４）。設定情報を受け取ったシステム制御部２０４は、その設定に従いジョブの構築（Ｓ４５）・ジョブの実行（Ｓ４６）を行う。このとき、ジョブの内容に原稿３００の読み取りが含まれる場合、読み取り開始指示をエンジン制御部２０２へ通知し（Ｓ４７）、原稿３００の読み取り処理を行う。例えば、表２の設定からジョブを構築する場合、「＜１＞第１の給紙口５９から原稿３００の両面を、モノクロの出力用画像形式で読み取り、読み取った画像をＲＡＭに配置する＜２＞ＲＡＭに配置した表面・裏面の各画像を９０度回転し、半分のサイズまで縮小し、集約画像を作成する＜３＞作成した集約画像をプロッタ出力する」といったジョブを構築する。エンジン制御部２０２は、原稿３００の読み取り処理が完了したら、読み取り完了通知をシステム制御部２０４へ供給する（Ｓ４８）。
【００９９】
以上のように、実施形態では、画像処理装置１は、第１の給紙口５９に挿入された原稿３００に対しては、操作パネルで受け付けられた設定で画像の読み取り処理を行い、第２の給紙口７２に挿入された原稿３００に対しては、ＱＲコード（登録商標）に示された設定で画像の読み取り処理を行う。これにより、操作パネルで受け付けられた設定での読み取り処理を望む場合に原稿３００を第１の給紙口５９に挿入し、ＱＲコード（登録商標）に示された設定での読み取り処理を望む場合に原稿を第２の給紙口７２に挿入することで、画像処理装置１において設定を適切に選択することができる。
【０１００】
なお、処理の設定が含められるべきコードは、ＱＲコード（登録商標）に代えて他の２次元コード（例えば、ＣＰコード（登録商標））であってもよいし１次元コード（例えば、バーコード）であってもよい。
【０１０１】
また、図９のＳ４において、表面ＱＲコード３０２ａ及び裏面ＱＲコード３０２ｂの少なくとも一方が部分画像として切り出せた場合にＱＲコード（登録商標）が検出できたと判断されているが、ＱＲコード（登録商標）が検出できたと判断されるための条件をさらに厳しくしてもよい。
【０１０２】
例えば、画像処理装置１は、図１２（ａ）、図１２（ｂ）に示すように、表面ＱＲコード３０２ａの画像（部分画像）３０２ａ１と裏面ＱＲコード３０２ｂの画像（部分画像）３０２ｂ１とを取得する。画像処理装置１は、裏面ＱＲコード３０２ｂの画像３０２ｂ１を左右反転させた画像３０２ｂ１１を生成し、表面ＱＲコード３０２ａの画像３０２ａ１と裏面ＱＲコード３０２ｂの左右反転させた画像３０２ｂ１１とを比較し両画像が一致するか否か判断する。例えば、画像処理装置１は、画像比較を画素単位で行い、全画素数における輝度レベルが一致する画素数の割合が閾値を超えたか否かで両画像が一致するか否かを判断することができる。あるいは、例えば、画像処理装置１は、他の任意の画像比較アルゴリズムを用いて、両画像が一致するか否かを判断することができる。画像処理装置１は、図１２（ａ）に示すように、表面ＱＲコード３０２ａの画像３０２ａ１と裏面ＱＲコード３０２ｂの左右反転させた画像３０２ｂ１１とが一致する場合、ＱＲコード（登録商標）が検出できたと判断することができる。また、画像処理装置１は、図１２（ｂ）に示すように、表面ＱＲコード３０２ａの画像３０２ａ１と裏面ＱＲコード３０２ｂ１の左右反転させた画像３０２ｂ１１とが一致しない場合、ＱＲコード（登録商標）が検出できなかったと判断することができる。
【０１０３】
これにより、例えば、ＱＲコード（登録商標）３０２ａ，３０２ｂの配されているクリアファイル３０２に他のＱＲコード（登録商標）の印刷された紙３０１が挟まれた原稿３００が構成される場合において、クリアファイル３０２上に配されているＱＲコード（登録商標）３０２ａ，３０２ｂを優先して処理することができる。
【０１０４】
また、表面ＱＲコード３０２ａの画像と裏面ＱＲコード３０２ｂの左右反転させた画像との比較を行う際に、画像全体ではなく画像の一部（例えば、下半分の領域）に対して画像比較を行ってもよい。
【０１０５】
例えば、図１３（ａ）に示すように、クリアファイル３０２上に配されているＱＲコード（裏面ＱＲコード）３０２ｂとクリアファイル３０２内の紙３０１とが重なってしまう場合には、一致していると判断されるべき表面ＱＲコード３０２ａの画像と裏面ＱＲコード３０２ｂの左右反転させた画像とが一致しないと判断される可能性がある。この場合でも、図１３（ｂ）に示すように、表面ＱＲコード３０２ａの画像と裏面ＱＲコード３０２ｂの左右反転させた画像との比較を、画像の一部（例えば、下半分の領域）に対して行うことで、本来一致していると判断されるべき両画像が一致しないとする不適切な判断を避けることができる。
【０１０６】
次に、画像処理装置１が適用された機器のハードウェア構成について図１４を用いて説明する。図１４は、画像処理装置１が適用された機器のハードウェア構成を示す図である。図１４に示すように、画像処理装置１は、コントローラ４１０とプリンタ部４６０およびスキャナ部４７０とをＰＣＩ（Ｐｅｒｉｐｈｅｒａｌ  Ｃｏｍｐｏｎｅｎｔ  Ｉｎｔｅｒｃｏｎｎｅｃｔ）バスで接続した構成となる。コントローラ４１０は、画像処理装置１全体の制御と描画、通信、操作部４２０からの入力を制御するコントローラである。なお、プリンタ部４６０またはスキャナ部４７０には、２値化を行う誤差拡散や階調の補正を行うガンマ変換などの画像処理部分が含まれる。操作部４２０は、スキャナ部４７０で読み取られた原稿３００の原稿画像情報等をＬＣＤ（Ｌｉｑｕｉｄ  Ｃｒｙｓｔａｌ  Ｄｉｓｐｌａｙ）に表示するとともに操作者からの入力をタッチパネルを介して受け付ける操作表示部４２０ａと、操作者からのキー入力を受け付けるキーボード部４２０ｂとを有している。
【０１０７】
なお、コントローラ４１０は、本体制御部１１１（図６参照）に対応する。操作部４２０は、操作部１５０（図６参照）に対応する。スキャナ部４７０は、インターフェース１０７、コントローラ部１００、レジストセンサ５７、原稿セットセンサ５８、手差しセット検知センサ７４、排紙センサ８９、突当センサ８５、原稿幅センサ８６、読取入口センサ８７、テーブル上昇センサ８４、ホームポジションセンサ８３、読取ユニット４５、ピックアップモータ１０１、給紙モータ１０２、読取モータ１０３、排紙モータ１０４、底板上昇モータ１０５、排紙搬送モータ９１、赤色ＬＥＤ７５、青色ＬＥＤ７６、ソレノイド７８（いずれも図６参照）に対応する。インターフェース１０７は、ＰＣＩバス規格（例えば、ＰＣＩ２．３又はＰＣＩ３．０など）に対応したインターフェースであって、ＰＣＩバスを介したコントローラ４１０との間の信号、データ等の送受信についてのインターフェース動作を行う。
【０１０８】
本実施形態にかかる画像処理装置１は、操作部４２０のアプリケーション切り替えキーにより、ドキュメントボックス機能、コピー機能、プリンタ機能、スキャナ機能およびファクシミリ機能を切り替えて選択することが可能となっている。ドキュメントボックス機能の選択時にはドキュメントボックスモードとなり、コピー機能の選択時にはコピーモードとなり、プリンタ機能の選択時にはプリンタモードとなり、スキャナ機能の選択時にはスキャナモードとなり、ファクシミリ機能の選択時にはファクシミリモードとなる。
【０１０９】
コントローラ４１０は、コンピュータの主要部であるＣＰＵ（Ｃｅｎｔｒａｌ  Ｐｒｏｃｅｓｓｉｎｇ  Ｕｎｉｔ）４１１と、システムメモリ（ＭＥＭ−Ｐ）４１２と、ノースブリッジ（ＮＢ）４１３と、サウスブリッジ（ＳＢ）４１４と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）４１６と、記憶部であるローカルメモリ（ＭＥＭ−Ｃ）４１７と、記憶部であるハードディスクドライブ（ＨＤＤ）４１８とを有し、ＮＢ４１３とＡＳＩＣ４１６との間をＡＧＰ（Ａｃｃｅｌｅｒａｔｅｄ  Ｇｒａｐｈｉｃｓ  Ｐｏｒｔ）バス４１５で接続した構成となる。また、ＭＥＭ−Ｐ４１２は、ＲＯＭ（Ｒｅａｄ  Ｏｎｌｙ  Ｍｅｍｏｒｙ）４１２ａと、ＲＡＭ（Ｒａｎｄｏｍ  Ａｃｃｅｓｓ  Ｍｅｍｏｒｙ）４１２ｂとをさらに有する。
【０１１０】
ＣＰＵ４１１は、画像処理装置１の全体制御を行うものであり、ＮＢ４１３、ＭＥＭ−Ｐ４１２およびＳＢ４１４からなるチップセットを有し、このチップセットを介して他の機器と接続される。
【０１１１】
ＮＢ４１３は、ＣＰＵ４１１とＭＥＭ−Ｐ４１２、ＳＢ４１４、ＡＧＰバス４１５とを接続するためのブリッジであり、ＭＥＭ−Ｐ４１２に対する読み書きなどを制御するメモリコントローラと、ＰＣＩマスタおよびＡＧＰターゲットとを有する。
【０１１２】
ＭＥＭ−Ｐ４１２は、プログラムやデータの格納用メモリ、プログラムやデータの展開用メモリ、プリンタの描画用メモリなどとして用いるシステムメモリであり、ＲＯＭ４１２ａとＲＡＭ４１２ｂとからなる。ＲＯＭ４１２ａは、ＣＰＵ４１１の動作を制御するプログラムやデータの格納用メモリとして用いる読み出し専用のメモリであり、ＲＡＭ４１２ｂは、プログラムやデータの展開用メモリ、プリンタの描画用メモリなどとして用いる書き込みおよび読み出し可能なメモリである。
【０１１３】
ＳＢ４１４は、ＮＢ４１３とＰＣＩデバイス、周辺デバイスとを接続するためのブリッジである。このＳＢ４１４は、ＰＣＩバスを介してＮＢ４１３と接続されており、このＰＣＩバスには、ネットワークインタフェース（Ｉ／Ｆ）部４８０なども接続される。
【０１１４】
ＡＳＩＣ４１６は、画像処理用のハードウェア要素を有する画像処理用途向けのＩＣ（Ｉｎｔｅｇｒａｔｅｄ  Ｃｉｒｃｕｉｔ）であり、ＡＧＰバス４１５、ＰＣＩバス、ＨＤＤ４１８およびＭＥＭ−Ｃ４１７をそれぞれ接続するブリッジの役割を有する。このＡＳＩＣ４１６は、ＰＣＩターゲットおよびＡＧＰマスタと、ＡＳＩＣ４１６の中核をなすアービタ（ＡＲＢ）と、ＭＥＭ−Ｃ４１７を制御するメモリコントローラと、ハードウェアロジックなどにより画像データの回転などを行う複数のＤＭＡＣ（Ｄｉｒｅｃｔ  Ｍｅｍｏｒｙ  Ａｃｃｅｓｓ  Ｃｏｎｔｒｏｌｌｅｒ）と、プリンタ部４６０やスキャナ部４７０との間でＰＣＩバスを介したデータ転送を行うＰＣＩユニットとからなる。このＡＳＩＣ４１６には、ＰＣＩバスを介してＦＣＵ（Ｆａｘ  Ｃｏｎｔｒｏｌ  Ｕｎｉｔ）４３０、ＵＳＢ（Ｕｎｉｖｅｒｓａｌ  Ｓｅｒｉａｌ  Ｂｕｓ）４４０、ＩＥＥＥ１３９４（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）インタフェース４５０が接続される。
【０１１５】
ＭＥＭ−Ｃ４１７は、コピー用画像バッファ、符号バッファとして用いるローカルメモリであり、ＨＤＤ４１８は、画像データの蓄積、ＣＰＵ４１１の動作を制御するプログラムの蓄積、フォントデータの蓄積、フォームの蓄積を行うためのストレージである。
【０１１６】
ＡＧＰバス４１５は、グラフィック処理を高速化するために提案されたグラフィックスアクセラレータカード用のバスインタフェースであり、ＭＥＭ−Ｐ４１２に高スループットで直接アクセスすることにより、グラフィックスアクセラレータカードを高速にするものである。
【０１１７】
なお、本実施形態の画像処理装置１で実行されるプログラム（画像処理プログラム）は、ＲＯＭ４１２ａ等に予め組み込まれて提供される。本実施形態の画像処理装置１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１１８】
さらに、本実施形態の画像処理装置１で実行されるプログラムを、インターネット等のネットワークに接続されたコンピュータ上に格納し、ネットワーク経由でダウンロードさせることにより提供するように構成してもよい。また、本実施形態の画像処理装置１で実行されるプログラムをインターネット等のネットワーク経由で提供または配布するように構成してもよい。
【０１１９】
本実施形態の画像処理装置１で実行されるプログラムは、上述した各部（図７参照）を含むモジュール構成となっており、実際のハードウェアとしてはＣＰＵ４１１（プロセッサ）が上記ＲＯＭ４１２ａからプログラムを読み出して実行することにより上記各部が主記憶装置上にロードされ、送受信部、操作表示制御部、印刷データ生成部、印刷部などが主記憶装置上に生成されるようになっている。
【符号の説明】
【０１２０】
１  画像処理装置
５２  反転搬送経路（第１の搬送経路）
５９  第１の給紙口
６０  ストレート搬送経路（第２の搬送経路）
７２  第２の給紙口
２０２ａ  第１の取得部
２０２ｂ  第２の取得部
２０４ａ  処理部
２０６ａ  判定部
２０７ａ  特定部
【先行技術文献】
【特許文献】
【０１２１】
【特許文献１】特開２０１３−７７９３３号公報
【図１】
2017228941.tif 000005
【図２】
2017228941.tif 000006
【図３】
2017228941.tif 000007
【図４】
2017228941.tif 000008
【図５】
2017228941.tif 000009
【図６】
2017228941.tif 000010
【図７】
2017228941.tif 000011
【図８】
2017228941.tif 000012
【図９】
2017228941.tif 000013
【図１０】
2017228941.tif 000014
【図１１】
2017228941.tif 000015
【図１２】
2017228941.tif 000016
【図１３】
2017228941.tif 000017
【図１４】
2017228941.tif 000018